【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
プロセスプラントを制御するためのモバイルユーザインターフェースデバイスであって、
ネットワークに通信可能に結合されるプロセッサと、
前記プロセッサに通信可能に結合されるメモリと、
前記プロセッサに通信可能に結合されるディスプレイと、
前記モバイルユーザインターフェースデバイスと外部デバイスとの近接性を検出するように動作可能な通信回路と、
前記メモリデバイス上に格納され、前記プロセッサに、
前記ネットワークを介して第１のデータに関する第１の要求を伝送させ、
前記第１の要求に応答して前記ネットワークを介して前記第１のデータを受信させ、
受信した前記第１のデータをディスプレイに表示させ、
前記モバイルユーザインターフェースデバイスが外部デバイスに近接しているという指標を受信させ、
受信した前記指標に従って前記ネットワークを介して第２のデータに関する第２の要求を伝送させ、
前記第２の要求に応答して前記ネットワークを介して前記第２のデータを受信させる、
前記プロセッサによって実行可能な１つ以上のルーチンと
を備えるモバイルユーザインターフェースデバイス。
【請求項２】
前記モバイルユーザインターフェースデバイスが外部デバイスに近接しているという指標を受信することが、前記モバイルユーザインターフェースデバイスが前記プロセスプラントの特定の領域にあるという指標を受信することを含む、請求項１に記載のモバイルユーザインターフェースデバイス。
【請求項３】
前記モバイルユーザインターフェースデバイスが外部デバイスに近接しているという指標を受信することが、前記モバイルユーザインターフェースデバイスがプロセス制御デバイスに近接しているという指標を受信することを含む、請求項１又は２に記載のモバイルユーザインターフェースデバイス。
【請求項４】
付加的なユーザインターフェースデバイスの受信した状態情報に従ってサーバのストレージ領域からプロセス制御データを表示することをさらに含み、前記サーバが、共通の形式を用いて、構成データ、計測データ、バッチデータ、連続データ、及びイベントデータから選択される複数のタイプのプロセスデータを含む、前記プロセスプラントに対応するプロセスデータを格納するように構成された、１つ以上のデータストレージデバイスを含むユニット式の論理データストレージ領域に通信可能に結合される、請求項１〜請求項３のいずれか一項に記載のモバイルユーザインターフェースデバイス。
【請求項５】
前記付加的なユーザインターフェースデバイスの受信した状態情報に従って前記ストレージ領域からプロセス制御データを表示することが、
（ａ）前記モバイルユーザインターフェースデバイスの表示上に前記付加的なユーザインターフェースデバイスの表示を複製すること、又は、
（ｂ）前記モバイルユーザインターフェースデバイスの表示上に、前記付加的なユーザインターフェースデバイス上に表示されるデータを配置すること
を含む、請求項４に記載のモバイルユーザインターフェースデバイス。
【請求項６】
前記受信した指標に従って第２のデータに関する第２の要求を伝送することが、前記モバイルユーザインターフェースデバイスが前記プロセス制御デバイスに近接しているという指標を伝送することを含み、前記第２のデータを受信することが、前記プロセス制御デバイスに関係したプロセス制御データを受信することを含む、請求項３に記載のモバイルユーザインターフェースデバイス。
【請求項７】
前記プロセス制御デバイスに関係したプロセス制御データを受信することが、
（ａ）前記プロセス制御デバイスに関連するアラーム、
（ｂ）前記プロセス制御デバイスに関連する保守タスク、
（ｃ）前記プロセス制御デバイスに関連する前記プロセスプラントの領域の概略図、又は
（ｄ）前記プロセス制御デバイスに関連する前記プロセスプラントの領域のステータス
のうちの１つ以上のデータを受信すること及び表示することを含む、請求項６に記載のモバイルユーザインターフェースデバイス。
【請求項８】
前記受信した指標に従って第２のデータに関する第２の要求を伝送することが、前記モバイルユーザインターフェースデバイスが前記プロセスプラントの特定の領域にあるという指標を伝送することを含み、前記第２のデータを受信することが、前記プロセスプラントの特定の領域に関係したプロセス制御データを受信することを含む、請求項３〜請求項７のいずれか一項に記載のモバイルユーザインターフェースデバイス。
【請求項９】
前記プロセス制御デバイスに関係したプロセス制御データを受信することが、
（ａ）前記プロセスプラントの特定の領域に関連するアラーム、
（ｂ）前記プロセスプラントの特定の領域に関連する保守タスク、
（ｃ）前記プロセスプラントの特定の領域の概略図、又は
（ｄ）前記プロセス制御デバイスに関連する前記プロセスプラントの領域のステータス
のうちの１つ以上のデータを受信すること及び表示することを含む、請求項１〜請求項８のいずれか一項に記載のモバイルユーザインターフェースデバイス。
【請求項１０】
前記モバイルユーザインターフェースデバイスが外部デバイスに近接しているという指標を受信することが、前記モバイルユーザインターフェースデバイスが付加的なユーザインターフェースデバイスに近接しているという指標を受信することを含む、請求項１に記載のモバイルユーザインターフェースデバイス。
【請求項１１】
前記受信した指標に従って第２のデータに関する第２の要求を伝送することが、付加的なユーザインターフェースデバイスの状態情報に関する要求をサーバに伝送することを含み、前記第２のデータを受信することが、前記付加的なユーザインターフェースデバイスの要求された状態情報を前記サーバから受信することを含む、請求項１に記載のモバイルユーザインターフェースデバイス。
【請求項１２】
前記通信回路が、（ａ）近距離無線通信（ＮＦＣ）回路、（ｂ）無線周波数識別（ＲＦＩＤ）回路、（ｃ）Ｂｌｕｅｔｏｏｔｈ回路、（ｄ）ＩＥＥＥ８０２．１１プロトコルに従って動作する回路、及び（ｅ）ｗｉｒｅｌｅｓｓ  ＨＡＲＴプロトコルに従って動作する回路、のうちの１つ以上を含む、請求項１〜請求項１１のいずれか一項に記載のモバイルユーザインターフェースデバイス。
【請求項１３】
プロセスプラントのためのモバイルユーザインターフェースデバイスによって行われる方法であって、
データストレージ領域からネットワークを介して第１のデータに関する第１の要求を伝送することと、
前記第１の要求に応答して前記データストレージ領域から第１のデータを受信することと、
受信した前記第１のデータを前記モバイルユーザインターフェースデバイスのディスプレイに表示させることと、
前記モバイルユーザインターフェースデバイスが外部デバイスに近接しているという指標を受信させることと、
受信した前記指標に従って第２のデータに関する第２の要求を伝送することと、
前記第２の要求に応答して前記第２のデータを受信することと
を含む方法。
【請求項１４】
モバイルユーザインターフェースデバイスが外部デバイスに近接しているという指標を受信することが、前記モバイルユーザインターフェースデバイスが前記プロセスプラントの特定の領域にあるという指標を受信することを含む、請求項１３に記載の方法。
【請求項１５】
前記モバイルユーザインターフェースデバイスが外部デバイスに近接しているという指標を受信することが、前記モバイルユーザインターフェースデバイスがプロセス制御デバイスに近接しているという指標を受信することを含む、請求項１３又は１４に記載の方法。
【請求項１６】
前記モバイルユーザインターフェースデバイスが外部デバイスに近接しているという指標を受信することが、前記モバイルユーザインターフェースデバイスが付加的なユーザインターフェースデバイスに近接しているという指標を受信することを含む、請求項１３に記載の方法。
【請求項１７】
前記受信した指標に従って第２のデータに関する第２の要求を伝送することが、前記付加的なユーザインターフェースデバイスの状態情報に関する要求をサーバに伝送することを含み、前記第２のデータを受信することが、前記付加的なユーザインターフェースデバイスの要求された状態情報を前記サーバから受信することを含む、請求項１６に記載の方法。
【請求項１８】
前記付加的なユーザインターフェースデバイスの受信した状態情報に従って前記データストレージ領域からプロセス制御データを表示することをさらに含む、請求項１７に記載の方法。
【請求項１９】
前記付加的なユーザインターフェースデバイスの受信した状態情報に従って前記データストレージ領域からプロセス制御データを表示することが、前記モバイルユーザインターフェースデバイスの表示上に前記付加的なユーザインターフェースデバイスの表示を複製することを含む、請求項１８に記載の方法。
【請求項２０】
前記付加的なユーザインターフェースデバイスの受信した状態情報に従って前記データストレージ領域からプロセス制御データを表示することが、前記モバイルユーザインターフェースデバイスの表示上に、前記付加的なユーザインターフェースデバイス上に表示されるデータを配置することを含む、請求項１９に記載の方法。
【請求項２１】
前記受信した指標に従って第２のデータに関する第２の要求を伝送することが、前記モバイルユーザインターフェースデバイスが前記プロセス制御デバイスに近接しているという指標を伝送することを含み、前記第２のデータを受信することが、プロセス制御デバイスに関係したプロセス制御データを受信することを含む、請求項１３〜請求項２０のいずれか一項に記載の方法。
【請求項２２】
前記プロセス制御デバイスに関係したプロセス制御データを受信することが、
（ａ）前記プロセス制御デバイスに関連するアラーム、
（ｂ）前記プロセス制御デバイスに関連する保守タスク、
（ｃ）前記プロセス制御デバイスに関連する前記プロセスプラントの領域の概略図、又は
（ｄ）前記プロセス制御デバイスに関連する前記プロセスプラントの領域のステータス
のうちの１つ以上のデータを受信すること及び表示することを含む、請求項２１に記載の方法。
【請求項２３】
前記受信した指標に従って第２のデータに関する第２の要求を伝送することが、前記モバイルユーザインターフェースデバイスが前記プロセスプラントの特定の領域にあるという指標を伝送することを含み、前記第２のデータを受信することが、前記プロセスプラントの特定の領域に関係したプロセス制御データを受信することを含む、請求項１４に記載の方法。
【請求項２４】
前記プロセス制御デバイスに関係したプロセス制御データを受信することが、
（ａ）前記プロセスプラントの特定の領域に関連するアラーム、
（ｂ）前記プロセスプラントの特定の領域に関連する保守タスク、
（ｃ）前記プロセスプラントの特定の領域の概略図、又は
（ｄ）前記プロセス制御デバイスに関連する前記プロセスプラントの領域のステータス
のうちの１つ以上のデータを受信すること及び表示することを含む、請求項２３に記載の方法。